(57)【特許請求の範囲】
【請求項１】
下面側が開口する筺体と、この筺体内のほぼ中央部に配置される送風機と、この送風機の周囲に沿って配置される熱交換器と、この熱交換器の下方部位に設けられるドレン皿と、上記送風機の下方部位に送風機の吸込み口を形成し、かつ上記ドレン皿とともに熱交換器の空気吸込み側通路と空気吹出し側通路とを区画するベルマウスと、上記ドレン皿の外周部に形成される吹出し口とを具備した天井カセット形空気調和機において、
上記ベルマウスは、上部から下部方向に、内方から外方に向かって漸次拡開される形状であるとともに、この一側方下面側に一体に設けられ、平面凹字状に屈曲形成される収納スペース部を有し、
この収納スペース部に、平面凹字状をなす電気部品箱が配置され、
この電気部品箱は、上記ベルマウスの吸込み口側面を、上部から下部方向に、内方から外方に向かって漸次拡開するよう傾斜する傾斜面を備えたことを特徴とする天井カセット形空気調和機。
【発明の詳細な説明】
【０００１】
【発明の属する技術分野】
本発明は、天井カセット形空気調和機に係り、特にベルマウスと電気部品箱および筺体構造の改良に関する。
【０００２】
【従来の技術】
図１０および図１１に、従来より用いられる天井カセット形空気調和機を示す。図中１は筺体であり、ここでは平面視で矩形状の四隅を落とした八角状をなし、下面側のみ開口している。
【０００３】
上記筺体１内のほぼ中央部に送風機２が配置され、この送風機の吸込み口である下面部には、ベルマウス３が連結される。
上記送風機２の外周部に沿う空間に、平面視で一部が欠落した矩形環状の熱交換器４が配置される。換言すれば、送風機２は、この熱交換器４によって囲繞される。
【０００４】
上記熱交換器４は、筺体１の下面開口部に嵌め込まれるドレン皿５によって支持される。このドレン皿５には、上記筺体１の縦横各辺内側に沿って複数の吹出し口６…が開口される。
【０００５】
上記ドレン皿５内周面と、上記ベルマウス３外周面との間の空間部に、ベルマウス取付け板７が嵌め込まれている。上記ベルマウス３は、ベルマウス取付け板７に適宜な手段で取付け固定される。
【０００６】
さらに、ベルマウス取付け板７には、電気部品箱８が適宜な手段で取付けられる。この電気部品箱８内には、上記送風機２の駆動制御に必要な電気部品類および、図示しない室温センサの検知信号を制御部へ送信するための電気部品などが収容される。
【０００７】
このような構成であるから、上記ベルマウス取付け板７と上記ドレン皿５によって、熱交換器４の空気吸込み側通路と空気吹出し側通路とが区画されることになる。
【０００８】
一方、筺体１内部には、暖房時に補助熱源として用いられる電気ヒータ９が配置される。この電気ヒータ９の位置は、上記電気部品箱８のほぼ直上部位に設定される。
【０００９】
筺体１の下面開口部には、化粧パネル１０が嵌め込まれ、天井板Ｓから被空調室Ｒ内へ露出する。この化粧パネル１０には、上記吹出し口６と対向する位置に、同一形状面積のパネル吹出し口１０ａが開口される。
【００１０】
そして、上記ドレンパン５の内周面と対向する位置に、同一形状面積のパネル吸込み口１０ｂが開口される。このパネル吸込み口１０ｂには、フィルタ１１が嵌め込まれ、かつグリル１２で覆われる。
【００１１】
また、この種の空気調和機において、必要に応じて新鮮外気を被空調室Ｒへ取入れ可能とするタイプのものがある。
具体的には、筺体１と天井パネルＳとの間にチャンバを取付け、このチャンバに外気ダクトを接続するチャンバ取付けタイプ、もしくは、筺体１に直接外気ダクトを取付ける直接外気取入れタイプである。この直接外気取入れタイプは、外気取入れ用風路が専用部品によつて構成される。（いずれも図示しない）
【００１２】
【発明が解決しようとする課題】
従来の天井カセット形空気調和機は以上のようにして構成されており、空調機能的には何らの支障もなく、快適空調がなされている。しかしながら構造上は、つぎのごとき問題点がある。
【００１３】
すなわち、吹出し空気を整流するために、ベルマウス３の他にベルマウス取付け板７が必要であり、部品費コストがかさむ。上記送風機２の吸込み面積を確保するため、電気部品箱８の容積が規制される。
【００１４】
上記筺体１内に配置される電気ヒータ９のメンテナンスをなす場合、化粧パネル１０を外したあと、電気部品箱８と、ベルマウス３およびベルマウス取付け板７との３部品を取り外す必要があり、手間が掛かる。
【００１５】
外気取入れ可能な空気調和機で、チャンバ取付けタイプのものは、チャンバを取付けることにより筺体の高さ寸法が高くなってしまい、天井懐スペース（天井板と天井裏との間）が小さい条件では据付けができない。
【００１６】
上記チャンバが別売品になっているところから、チャンバのコストが高くなってしまう。空気調和機の据付け時に、筺体とチャンバとをねじ止めする作業が必要で手間が掛かる。
【００１７】
直接外気取入れタイプのものは、外気取入れ用風路に専用部品を取付けなければならない。外気取入れ用風路の壁によって送風気流が乱流となるのを防ぐため、整流専用部品を取付けなければならない。熱交換器の空気吸込み側通路と空気吹出し側通路のシールに、専用部品が必要不可欠であるなどの不具合がある。
【００１８】
本発明は、上記事情に鑑みなされたものであり、その目的とするところは、筺体内部に収容する構成部品、たとえば電気ヒータなどに対するメンテナンスの容易化を図り、かつ吸込み空気の通風抵抗を低減し、電気部品箱に充分な容積を確保した天井カセット形空気調和機を提供しようとするものである。
【００２０】
【課題を解決するための手段】
上記目的を満足するため、本発明の天井カセット形空気調和機は、下面側が開口する筺体と、この筺体内のほぼ中央部に配置される送風機と、この送風機の周囲に沿って配置される熱交換器と、この熱交換器の下方部位に設けられるドレン皿と、上記送風機の下方部位に送風機の吸込み口を形成し、かつ上記ドレン皿とともに熱交換器の空気吸込み側通路と空気吹出し側通路とを区画するベルマウスと、上記ドレン皿の外周部に形成される吹出し口とを具備し、
上記ベルマウスは、上部から下部方向に内方から外方に向かって漸次拡開される形状であり、この一側方下面側に一体に設けられ平面凹字状に屈曲形成される収納スペース部を有し、この収納スペース部に平面凹字状をなす電気部品箱が配置され、この電気部品箱はベルマウスの吸込み口側面を上部から下部方向に、内方から外方に向かって漸次拡開するよう傾斜する傾斜面を備えたことを特徴とする。
【００２６】
以上のような課題を解決するための手段を備えることにより、筺体内部に収容する構成部品、たとえば電気ヒータなどに対するメンテナンスの容易化を図り、かつ吸込み空気の通風抵抗を低減するとともに電気部品箱に充分な容積を確保する。
【００２８】
【発明の実施の形態】
以下、本発明の実施の形態を、図面を参照して説明する。
図１ないし図５は、天井カセット形空気調和機を示す。そして、図１ないし図３は第１の実施の形態であり、図４および図５は第２の実施の形態である。
【００２９】
はじめに、図１ないし図３で示す、第１の実施の形態から説明する。
図中２０は、筺体である。この筺体２０は、平面視が矩形状の四隅を落として八角状としており、その各辺部に沿って側壁が一体に設けられる構成となっている。そして、筺体の下面部は開口している。
【００３０】
上記筺体２０の上面壁２０ａには送風機２１を構成するファンモータ２１ａが適宜な手段で取付け固定される。このファンモータ２１ａの軸方向は垂直方向に向けられていて、下方部位に突出する回転軸にファン２１ｂが嵌着される。
【００３１】
特に図２（Ｂ）および図３（Ｂ）で示すように、送風機２１の中心位置Ｏｂ  は、筺体２０の中心位置Ｏａ  と外れた位置に設定される。
そして、上記筺体２０の側壁内周面に対し下部側一部を残して全面的に、かつ上面壁内周面の周端部に亘って、図１のみ示す断熱材２２が、たとえば接着などの手段で密に接した状態で取付けられる。
【００３２】
この断熱材２２の外形寸法と全く同一の外形寸法で形成されるドレン皿２３が、断熱材２２の下部側に重ねられ、筺体２０側壁内周面に密に接した状態で取付けられる。
【００３３】
上記ドレン皿２３には、縦横長い辺部に沿って、それぞれ吹出し口２４が開口される。ドレン皿２３のほぼ中心位置には、一部が円形状で、残り部分が直状のベルマウス取付け用孔２６が開口される。
【００３４】
このようなドレン皿２３の吹出し口２４とベルマウス取付け用孔２６との間は断面凹状に形成されていて、ここで熱交換器２５を支持している。
この熱交換器２５の上端部は筺体２０上面壁内周面に当接しており、熱交換器２５は筺体２０とドレン皿２３との間に介在される。なお説明すれば、上記熱交換器２５は、筺体２０内の外周部に沿う空間に配置されていて、平面視で、ほぼ矩形状をなし、その一部の角部が欠落している。
【００３５】
上記ドレン皿２３のベルマウス取付け用孔２６には、ベルマウス２７が嵌め込まれる。このベルマウス２７は、上端部が上記送風機２１の吸込み部に連結される円形の部分と、ここから下部側へかつ外方へ傾斜し、先端の周端縁が上記ベルマウス取付け用孔２６に掛合する部分とからなるベルマウス本体部２７Ａと、このベルマウス本体部と一体に連設され後述する電気部品箱２８を収納するための収納スペース部２７Ｂとから構成される。
【００３６】
すなわち、上記収納スペース部２７Ｂは、ベルマウス２７の一側方下面側に設けられ、平面視で両側部が斜めに傾斜するほぼ凹字状に形成される。そして、凹字の内側部分は、送風機ファン２１ｂの外周端を抱持するように、ファン中心軸方向に突出し、かつベルマウス本体部２７Ａの高さに合わせた垂直な壁面が形成される。
【００３７】
上記電気部品箱２８は、その平面視が収納スペース部２７Ｂと全く同一の、ほぼ凹字形状をなす。厚さ（高さ寸法）は収納スペース部２７Ｂの垂直壁面と同一であり、ここで位置合わせされる。
【００３８】
電気部品箱２８は、適宜な手段で収納スペース部２７Ｂに取付け固定される。この内部には、送風機２１の駆動制御に必要な電気部品類および、図示しない室温センサの検知信号を制御部へ送信するための電気部品などが収容される。
【００３９】
特に図２（Ｂ）に示すように、電気部品箱２８の位置は、筺体２０中心位置Ｏａ  に対して、送風機２１の中心位置Ｏｂ  とは反対側の方向に位置がずれるように設定されている。
【００４０】
このような構成であるから、上記ベルマウス２７の下面側開口部は吸込み口として形成される。そして、ベルマウス２７と上記ドレン皿２３によって、熱交換器２５の熱交換前位置である空気吸込み側通路と、熱交換後位置である空気吹出し側通路とが区画されることになる。
【００４１】
一方、筺体２０内部には、暖房時に補助熱源として用いられる電気ヒータ２９が配置される。この電気ヒータ２９の位置は、上記電気部品箱２８とほぼ同位置に設定される。
【００４２】
図２のみ示すように、上記筺体２０の下面開口部には、化粧パネル３０が嵌め込まれ、天井板Ｓから被空調室内へ露出する。この化粧パネル３０には、上記吹出し口２４と対向する位置に、同一形状面積のパネル吹出し口３０ａが開口される。
【００４３】
そして、上記ドレン皿２３の内周面と対向する位置に、同一形状面積のパネル吸込み口３０ｂが開口される。このパネル吸込み口３０ｂにはフィルタ３１が嵌め込まれ、このフィルタをグリル３２で覆っている。
【００４４】
このような構成の天井カセット形空気調和機であり、冷凍サイクル運転とともに送風機２１を駆動すると、被空調室Ｒ空気が化粧パネル３０のパネル吸込み口３０ｂからグリル３２とフィルタ３１を介して筺体２０内に吸込まれる。
【００４５】
そして、ベルマウス２７で整流され、送風機２１を介して熱交換器２５を導通し、ここに導かれる冷媒と熱交換する。この熱交換空気は、ドレン皿２３の外周部に開口される吹出し口２４と化粧パネル３０のパネル吹出し口３０ａから被空調室へ吹出される。
【００４６】
上記ベルマウス２７は、ドレン皿２３に設けられるベルマウス取付け用孔２６と送風機２１の吸込み部とを連設するベルマウス本体２７Ａを備えていて、下部外方から上部内方へ傾斜する形状であるから、吸込み空気の整流効率がよい。
【００４７】
筺体２０中心位置Ｏa に対して送風機２１中心位置Ｏb がずれた位置にあり、しかもこの送風機中心位置とは反対側の位置に電気部品箱２８を取付けるようにしたから、電気部品箱２８の容積をより大きく確保できる。
【００４８】
また、必要に応じて、筺体２０内に収容される電気ヒータ２９のメンテナンスを行なう。このときは、化粧パネル３０を取り外して、ドレン皿２３とベルマウス２７および電気部品箱２８を露出する。
【００４９】
そして、電気部品箱２８とベルマウス２７を取り外す。図３に示すように、ドレン皿２３はそのままの状態でよい。ドレン皿２３の内周側開口部に上記電気ヒータ２９が露出するので、作業者は送風機２１とドレン皿２３との間に手を伸ばして電気ヒータ２９を取外しできる。
【００５０】
すなわち、ベルマウス２７に電気部品箱２８が取付けられているから、実質的にベルマウス２７の取外しのみで電気ヒータ２９が露出することになり、メンテナンスが容易に行なえて、作業性がよい。
【００５１】
第２の実施の形態として、図４および図５に示すように、ここでの電気部品箱２８Ａは、凹字状の内側の面のみ傾斜面ａとする。この傾斜面ａは、上部から下部方向に、内方から外方に向かって漸次傾斜する。
【００５２】
一方、上記ベルマウス２７のベルマウス本体２７ａは、先に説明したように、上部から下部方向に、内方から外方に向かって漸次拡開される。したがって、電気部品箱２８Ａを取付けた図４の状態では、送風機２１の作動によって風がベルマウスの吸込み口に効率よく、かつ円滑に導かれることとなり、吸込み空気の通風抵抗がより低減して、整流効果の向上を図れる。
【００５３】
図６ないし図８に、第３の実施の形態を示す。ここで示す天井カセット形空気調和機の基本的な構成は、先に説明したものと同一である。
【００５４】
すなわち、図６に示すように、天井カセット形空気調和機は、筺体２０と、この筺体内に配置される送風機２１および熱交換器２５と、筺体の下面開口部に嵌め込まれ上記熱交換器を支持するドレン皿２３Ａと、筺体下面部に取付けられる化粧パネル３０および筺体内周面一部に貼着される発泡断熱材２２Ａとから構成される。（ベルマウスは省略する）
ここでは、上記筺体２０Ａと、発泡断熱材２２Ａと、ドレン皿２３Ａおよび熱交換器２５Ａのそれぞれ一部に、後述する特徴を有するところから、先に発明のものとは異なる符号を付す。他の構成部品は同一であるので、同番号を付して新たな説明は省略する。
【００５５】
すなわち、上記筺体２０Ａの一部側面壁２０ｂには、外気取入れ用孔３５が開口される。この側面壁２０ｂには、上記外気取入れ用孔３５に連通する外気ダクト３６が取付けられる。
【００５６】
この外気ダクト３６の図示しない端部は、家屋の壁面に開口される外気取入れ口に接続されていて、外気の取入れ案内ができるようになっている。そして、家屋壁面の外気取入れ口には、シャッタ機構が設けられていて、開閉は被空調室から遠隔操作ができるようになっている。
【００５７】
上記発泡断熱材２２Ａは、筺体２０側面壁の外気取入れ用孔３５と連通する案内用孔３６が側面壁２２ａに開口している。また、この案内用孔３６が設けられる側面壁２２ａの内面側には、膨出補助壁３７が一体に突設される。
【００５８】
この膨出補助壁３７は、発泡断熱材２２Ａの下面部において開放され、上面部は発泡断熱材上面壁２２ｂによって閉成される。上記案内用孔３６から膨出補助壁３７のなす空間部を、外気取入れ用風路３８と呼ぶ。
【００５９】
上記ドレン皿２３Ａには、発泡断熱材２２Ａに形成される外気取入れ用風路３８と同一位置に、同一形状の外気取入れ用風路３９が設けられる。この風路３９は、ドレン皿２３Ａの上面部と下面部において開口される。
【００６０】
したがって、発泡断熱材２２Ａの外気取入れ風路３８と、ドレン皿２３Ａの外気取入れ風路３９は互いに連通する。
特に、図６および図８に示すように、ここでは上記熱交換器２５Ａは平面視でＬ字状をなす一対の熱交換器体Ａ，Ａから構成されていて、互いの端部が離間し対称的に配置される。
【００６１】
そして、上記外気取入れ用風路３８，３９側の熱交換器体Ａ，Ａ端部相互は遮蔽板４０によって連結される。すなわち、外気取入れ用風路３８，３９から出た外気は遮蔽板４０によって一対の熱交換器体Ａ，Ａ相互間である空気吹出し側通路への侵入を阻止され、全て空気吸込み側通路に導かれるようになっている。
【００６２】
また、遮蔽板４０によって連結される端部とは反対側の熱交換器体Ａ，Ａ端部相互は、発泡断熱材２２Ａの内周壁一部に設けられる一対の突条部ｂ，ｂにそれぞれ密接しており、ここでも熱交換器体Ａ，Ａ外周面を回ってきた外気の空気吹出し側通路への侵入を阻止する。
【００６３】
このようにして構成される天井カセット形空気調和機であり、冷凍サイクル運転とともに送風機２１を駆動すると、被空調室Ｒ空気が化粧パネル３０のパネル吸込み口３０ｂからグリル３２とフィルタ３１を介して、筺体２０Ａ内に吸込まれる。
【００６４】
そして、図示しないベルマウスによって整流され、送風機２１を介して熱交換器２５Ａに導通して、ここに導かれる冷媒と熱交換する。この熱交換空気は、ドレン皿２３Ａの外周部に開口される吹出し口２４と化粧パネル３０のパネル吹出し口３０ａから被空調室Ｒへ吹出される。
【００６５】
必要に応じて、外気ダクト３６のシャッタを開放すると、外気は外気ダクトを介して外気取入れ用孔３５に導かれる。そして、発泡断熱材２２Ａとドレン皿２３Ａの外気取入れ用風路３８，３９に沿って流れる。ドレン皿２３Ａの外気取入れ用風路３９から出たところで、化粧パネル３０の吸込み口３０ｂを介して導かれる被空調室の吸込み空気と混合する。
【００６６】
この混合吸込み側空気は送風機２１を介して熱交換器２５Ａに導かれ、熱交換して吹出し口２４とパネル吹出し口３０ａから被空調室Ｒへ吹出される。したがって、新鮮な外気を取入れた熱交換空気が被空調室Ｒを空気調和する。
【００６７】
また、遮蔽板４０は外気取入れ用風路３８，３９を導かれた外気に対する熱交換器２５Ａの空気吸込み側通路と空気吹出し側通路とのシールを確実になし、熱交換効率の向上を図れる。
【００６８】
外気取入れ用孔３５および外気取入れ用風路３８，３９などは、既存の筺体２３Ａや発泡断熱材２２Ａおよびドレン皿２３Ａの一部の改造のみで得られ、専用のチャンバなど不要である。したがって、取付け手間が不要で作業性の大幅改善化が得られるとともに、部品のコストの削減に寄与する。
【００６９】
なお、上記遮蔽板４０に代るシール構造として、図９（Ａ）ないし（Ｃ）に示す実施の形態を採用してもよい。
はじめに図９（Ａ）のシール構造から説明すると、上記外気取入れ用風路３８，３９を構成する膨出補助壁３７Ａは、その内側壁面を内側に突出して、壁厚さを厚くする。この状態で、一対の熱交換器体Ａ，Ａ端部と掛合する切欠部４１，４１が設けられる。
【００７０】
したがって、先に述べた遮蔽板４０と同様、膨出補助壁３７Ａの壁面が熱交換器２５Ａの空気吸込み側通路と空気吹出し側通路とのシールをなし、この構成を採用すれば遮蔽板が不要となる。
【００７１】
同図（Ｂ）では、膨出補助壁３７Ｂの壁面を内側に厚くし、かつ一対の熱交換器体Ａ，Ａ端部と掛合する切欠部４１，４１を備え、熱交換器２５Ａの空気吸込み側通路と空気吹出し側通路とのシールをなすことは変わりがない。ただし、ここでは膨出補助壁３７Ｂの両側部ｃ，ｃが熱交換器体Ａの長手方向と直交する方向に切欠される。
【００７２】
したがって、熱交換器２５Ａを通過した送風気流が膨出補助壁３７Ｂに衝突するようなことがあっても、同図（Ａ）のような鋭角状の凹部ｄ，ｄが形成されていないので、乱流を生じることがなく、送風騒音の低減を図れる。
【００７３】
同図（Ｃ）では、膨出補助壁３７Ｃの壁面を両側部のみ厚くする。そして、この内側面に一対の熱交換器体Ａ，Ａ端部と掛合し、熱交換器２５Ａの空気吸込み側通路と空気吹出し側通路とのシールをなす。ここでも膨出補助壁３７Ｃの両側部ｃ，ｃは熱交換器体の長手方向とは直交する方向に設けられる。
【００７４】
したがって、熱交換器を通過した送風気流が膨出補助壁３７Ｃに衝突するようなことがあっても、同図（Ａ）のような鋭角状の凹部ｄ，ｄが形成されていないので、乱流を生じることがなく、送風騒音の低減を図れる。
【００７５】
同図（Ｄ）では、先に説明した遮蔽板４０が一対の熱交換器体Ａ，Ａの端部相互間に連結されており、熱交換器２５Ａの空気吸込み側通路と空気吹出し側通路のシールをなすことには変わりがない。
【００７６】
ここでは、膨出補助壁３７Ｄの内側壁面を遮蔽板４０と狭小の間隙を存して平行な面と、この両側部ｅ，ｅは９０°よりも大きな山形状に形成される空気吹出し通路となす。
【００７７】
したがって、この膨出補助壁３７Ｄの壁面である空気吹出し通路に沿って送風気流が円滑に導かれることになり、乱流とならずにすみ、送風騒音の低減を得られる。
【００７８】
【発明の効果】
以上説明したように本発明では、ベルマウスの一側方下面側に一体に、平面凹字状に屈曲形成される収納スペース部を設け、この収納スペース部に平面凹字状をなす電気部品箱を配置したから、筺体内部に収容する構成部品、たとえば電気ヒータなどに対するメンテナンスの容易化を得るとともに、電気部品箱はベルマウスと同一形状の傾斜面を備えたから、吸込み空気の通風抵抗を低減して、送風効率の向上を図れるなどの効果を奏する。
【図面の簡単な説明】
【図１】本発明における第１の実施の形態を示す、天井カセット形空気調和機の分解した斜視図。
【図２】（Ａ）は、同実施の形態の、天井カセット形空気調和機の概略の縦断面図。（Ｂ）は、化粧パネルを取外した状態での下面図。
【図３】（Ａ）は、同実施の形態の、ベルマウスと電気部品箱を取外した状態での天井カセット形空気調和機の縦断面図。（Ｂ）は、その下面図。
【図４】第２の実施の形態を示す、化粧パネルを取外した天井カセット形空気調和機の概略の縦断面図。
【図５】同実施の形態の、電気部品箱の斜視図。
【図６】第３の実施の形態を示す、天井カセット形空気調和機の分解した斜視図。
【図７】同実施の形態の、天井カセット形空気調和機の概略の縦断面図。
【図８】同実施の形態の、化粧パネルを取外した天井カセット形空気調和機の概略の下面図。
【図９】（Ａ）は、第４の実施の形態を示す、化粧パネルを取外した天井カセット形空気調和機の概略の下面図。（Ｂ）は、第５の実施の形態を示す、化粧パネルを取外した天井カセット形空気調和機の概略の下面図。（Ｃ）は、第６の実施の形態を示す、化粧パネルを取外した天井カセット形空気調和機の概略の下面図。（Ｄ）は、第７の実施の形態を示す、化粧パネルを取外した天井カセット形空気調和機の概略の下面図。
【図１０】（Ａ）は、従来の、化粧パネルを取外した天井カセット形空気調和機の概略の下面図。（Ｂ）は、同天井カセット形空気調和機の概略の縦断面図。
【図１１】従来の、ベルマウス取付け板と、ベルマウスおよび電気部品箱を取外した状態での天井カセット形空気調和機の下面図。
【符号の説明】
２０，２０Ａ…筺体、２１…送風機、２５，２５Ａ…熱交換器、２３，２３Ａ…ドレン皿、２７…ベルマウス、２４…吹出し口、２７Ｂ…収納スペース部、２８，２８Ａ…電気部品箱、ａ…（電気部品箱の）傾斜面、２２Ａ…発泡断熱材、３５…外気取入れ用孔、３８，３９…外気取入れ用風路、３７Ｃ…空気吹出し通路（膨出補助壁）。
【図１】
0003593418.tif 000002
【図２】
0003593418.tif 000003
【図３】
0003593418.tif 000004
【図４】
0003593418.tif 000005
【図５】
0003593418.tif 000006
【図６】
0003593418.tif 000007
【図７】
0003593418.tif 000008
【図８】
0003593418.tif 000009
【図９】
0003593418.tif 000010
【図１０】
0003593418.tif 000011
【図１１】
0003593418.tif 000012